(57)【要約】      （修正有）【課題】ストレッチ運動を円滑に行えるようにすると共に、ゴルフのスイング練習にも好適なストレッチ器具を提供する。【解決手段】長尺部材３と、長尺部材の両端にそれぞれ設けられた一対のグリップ部２ａ、２ｂと、中空部を有する筒状で、長尺部材が中空部に挿通され、長尺部材のグリップ部の間を移動自在なクッション性を有するクッション部４とを有する。ストレッチ運動時には、クッション部が背中に当接し、運動に伴って長尺部上を移動するので、円滑にストレッチ運動を実行できる。ゴルフの練習の際には、スイングの過程でクッション部が一のグリップ部側から他のグリップ側に移動するので、インパクトを体感することができる。【選択図】図１
0003225957.tif 000002
【実用新案登録請求の範囲】
【請求項１】
長尺部材と、
前記長尺部材の両端にそれぞれ設けられた一対のグリップ部と、
中空部を有する筒状で、前記長尺部材が前記中空部に挿通され、前記長尺部材の前記グリップ部の間を移動自在なクッション性を有するクッション部と、を有する
ストレッチ器具。
【請求項２】
前記クッション部の中空部の内径は、前記長尺部材の外径よりも大きい
請求項１に記載のストレッチ器具。
【請求項３】
前記クッション部は、ポリウレタン又はシリコン樹脂で構成されている
請求項１又は請求項２に記載のストレット器具。
【請求項４】
前記長尺部材は、カーボン、スチール、合成樹脂、及び木材のいずれかで構成されている
請求項１乃至請求項３のいずれか１項に記載のストレッチ器具。
【請求項５】
前記クッション部の中空部の内面は、コーティングされている
請求項１乃至請求項４のいずれか１項に記載のストレッチ器具。
【考案の詳細な説明】
【技術分野】
【０００１】
本考案は、ゴルフスイングの練習を行うこともできるストレッチ器具に関する。
【背景技術】
【０００２】
従来、ストレッチ運動を効果的に実施するために、種々のストレッチ器具が提案され市場に出回っている。
【０００３】
例えば、特許文献１では、伸張性と弾性を有する素材で組成した紐状体３本を三つ編みにした本体と、その本体の中間に、本体に沿って移動可能な突起物を２つ設けて全体を形成した健康促進用ストレッチ器具が開示されている。
【０００４】
特許文献２では、パイプ状又は円柱状の中間部と、該中間部の両側からそれぞれ直線的に延びるパイプ状又は円柱状の先端部とを備え、中間部は、前方側へ湾曲した中央部から斜め前方両側へ開くように曲げられた第１中間部と、該第１中間部の両側先端からそれぞれ斜め後方側へ開くように曲げられた第２中間部を有し、第１中間部と各第２中間部の角度を９０度〜１３０度程度とし、各先端部は、各第２中間部の先端側から左右方向に対して直線的に延びており、若干斜め前方側を向くように少し曲げられ、中間部を肩部の上に置くようにして第１中間部の前面側に首部の後部両側を接触させ、左右方向に広げた両腕を後方側から各先端部の上部先端側に載せるストレッチ器具が開示されている。
【０００５】
特許文献３では、押上プレートは、人の背骨の長さ方向の一点を押上可能な形状に形成されており、揺動軸は、背宛面を挟んだ押上プレートの両縁部に配置されており、アームは、遊端側を下方に押すと、揺動軸への取付側を持ち上げ可能な、くぎぬきのような形状に形成されたストレッチ器具が開示されている。
【先行技術文献】
【特許文献】
【０００６】
【特許文献１】実用新案登録第３０９６５６４号公報
【特許文献２】実用新案登録第３２１１３１０号公報
【特許文献３】特開２００６−２６００４号公報
【考案の概要】
【考案が解決しようとする課題】
【０００７】
しかしながら、特許文献１乃至３に開示された技術では、背中等のストレッチをするために、シャフトの両端を両手で把持して、ストレッチ運動をするときに、背中に当接する部分にクッション性を持たせ、運動に伴い当該クッション性を有する部材が移動することで、ストレッチ運動を円滑に行えるような工夫は開示されていない。さらに、ゴルフのスイング練習にも好適である点は、文献１乃至３には開示されていない。
【０００８】
本考案は、このような課題に鑑みてなされたものであり、その目的とするところは、ストレッチ運動を円滑に行えるようにすると共に、ゴルフのスイング練習にも好適なストレッチ器具を提供することにある。
【課題を解決するための手段】
【０００９】
上記課題を解決するため、本考案の一態様に係るストレッチ器具は、長尺部材と、前記長尺部材の両端にそれぞれ設けられた一対のグリップ部と、中空部を有する筒状で、前記長尺部材が前記中空部に挿通され、前記長尺部材の前記グリップ部の間を移動自在なクッション性を有するクッション部と、を有する。
【００１０】
この態様に係るストレッチ器具において、前記クッション部の中空部の内径は、前記長尺部材の外径よりも大きくてよい。さらに、前記クッション部は、ポリウレタン又はシリコン樹脂で構成されていてよい。さらに、前記長尺部材は、カーボン、スチール、合成樹脂、及び木材のいずれかで構成されていてよい。そして、前記クッション部の中空部の内面は、コーティングされていてもよい。
【考案の効果】
【００１１】
本考案によれば、ストレッチ運動を円滑に行えるようにすると共に、ゴルフのスイング練習にも好適なストレッチ器具を提供することができる。
【図面の簡単な説明】
【００１２】
【図１】本考案の第１実施形態に係るストレッチ器具の構成図である。
【図２】同ストレッチ器具のクッション部の移動について説明する図である。
【図３】同ストレッチ器具の使用例を示す図である。
【図４】本考案の第２実施形態に係るストレッチ器具の構成図である。
【考案を実施するための形態】
【００１３】
以下、図面を参照しつつ本考案の実施形態について説明する。
【００１４】
＜第１実施形態＞
【００１５】
図１には、本考案の第１実施形態に係るストレッチ器具の構成を示し説明する。
【００１６】
同図に示されるように、ストレッチ器具１は、長尺のシャフト等からなる長尺部材３を有している。この例では、長尺部材３としては、カーボンシャフト、スチールシャフト、又は合成樹脂を成型したシャフト等が採用されている。長尺部材３の両端には、グリップ部２ａ，２ｂが配設置されている。この例では、グリップ部２ａ，２ｂは同一形状となっており、一般的なゴルフクラブ等で採用されるラバーグリップが用いられている。
【００１７】
クッション部４は、中空部を有する円筒形状となっており、その中空部に長尺部材３が挿通されている。クッション部４は、長尺部材３のグリップ部２ａからグリップ部２ｂまでの間を、図２（ａ）乃至図２（ｃ）に示されるように移動自在となっている。クッション部４は、ポリウレタン、ポリスチレン、シリコン樹脂等の合成樹脂で構成されているが、これには限定されず、これら素材の表面を、滑り止めを施したシートで被覆する構成としてもよい。また、このクッション部４の中空部の内面については、滑りを良くする塗膜等でコーティングするようにしてもよい。
【００１８】
なお、クッション部４のサイズについては、長尺部材３のグリップ部２ａ，２ｂ間の長さの１．５倍から２倍であることが好ましい。ストレッチ運動時のクッション作用と、後述するゴルフスイング時のインパクトの体感性を両立させるためである。
【００１９】
ここで、図３には、本考案の第１実施形態に係るストレッチ器具１をもちいてゴルフスイングの練習をする様子を示し説明する。
【００２０】
同図に示されるように、ストレッチ器具１の一方のグリップ部を把持して、スイング練習をする場合、符号１００Ａで示すストレッチ器具１を振り上げた状態では、クッション部４は、把持しているグリップ部側に移動する。そして、符号１００Ｂで示すインパクトの瞬間では、クッション部４が把持しているグリップ部とは逆のグリップ部側に落ち込むので、あたかもボールを打撃したかのようなインパクトの瞬間を体感できる。その後、符号１００Ｃ、１００Ｄと状態は推移するが、クッション部４は、把持しているグリップ部側とは反対のグリップ部側に保持されたままスイングが進められる。
【００２１】
＜第２実施形態＞
【００２２】
図４には、本考案の第２実施形態に係るストレッチ器具の構成を示し説明する。
【００２３】
同図に示されるように、ストレッチ器具１０は、長尺の木材等からなる長尺部材１１を有している。そして、この長尺部材１１の両端には、グリップ部１３ａ，１３ｂが配設されている。この例では、グリップ部１３ａ，１３ｂは同一形状となっており、素材としてはゴム等が採用されている。
【００２４】
クッション部１２は、中空部を有する円筒形状となっており、その中空部に長尺部材１１が挿通されている。クッション部１２は、長尺部材１１のグリップ部１３ａからグリップ部１３ｂまでの間を移動自在となっている。クッション部１２は、ポリウレタンやシリコン樹脂等の合成樹脂等で構成されているが、これには限定されず、これら素材の表面を、滑り止めを施したシートで被覆する構成としてもよい。また、このクッション部１２の中空部の内面については、滑りを良くする塗膜等でコーティングするようにしてもよい。
【００２５】
以上説明したように、本考案の実施形態によれば、以下の効果が奏される。
【００２６】
すなわち、本考案の実施形態によれば、長尺部材３と、長尺部材の両端にそれぞれ設けられた一対のグリップ部２ａ，２ｂと、中空部を有する筒状で、長尺部材が中空部に挿通され、長尺部材のグリップ部の間を移動自在なクッション性を有するクッション部４とを有するストレッチ器具が提供される。したがって、ストレッチ運動時には、クッション部４が背中に当接し、運動に伴って長尺部３上を移動するので、円滑にストレッチ運動を実行することが可能となる。更に、ゴルフの練習の際には、スイングの過程でクッション部４が一のグリップ部側から他のグリップ側に移動するので、インパクトを体感することが可能となる。
【００２７】
ここで、クッション部４の中空部の内径は、長尺部材３の外径よりも大きい。したがって、クッション部４の円滑な移動が促進される。さらに、前記クッション部は、ポリウレタン又はシリコン樹脂で構成されてよい。従って、好適なクッション性とゴルフスイング時の重りの役割を共に担うことが可能となる。さらに、長尺部材３は、カーボン、スチール、及び木材のいずれかで構成されてよい。従って、ストレッチ運動時の負荷にも十分に耐えることが可能である。そして、クッション部の中空部の内面は、コーティングされていてよい。従って、クッション部４の円滑な移動が実現される。
【００２８】
以上、本考案の実施形態について説明したが、本考案はこれに限定されることなくその趣旨を逸脱しない範囲で種々の改良・変更が可能であることは勿論である。
【００２９】
例えば、長尺部の素材は、前述したものに限定されず、種々のものを採用することが可能であることは勿論である。
【符号の説明】
【００３０】
１…ストレッチ器具
２ａ，２ｂ…グリップ部
３…長尺部材
４…クッション部
１０…ストレッチ器具
１１…長尺部材
１２…クッション部
１３ａ，１３ｂ…クッション部。
【図１】
0003225957.tif 000003
【図２】
0003225957.tif 000004
【図３】
0003225957.tif 000005
【図４】
0003225957.tif 000006